(57)【要約】      （修正有）【課題】ベルトを３枚使用すると共に、ムレ対策を施した骨盤ベルトを提供する。【解決手段】骨盤ベルト１０のほぼ全長を占める第１弾力布１１と、第１弾力布１１の左端表面に固定された第１面ファスナ１４と、第１弾力布１１の右端裏面に固定された第２面ファスナと、少なくとも第１、第２面ファスナと一部重なりながら第１面ファスナ１４から第２面ファスナまで伸びる第２弾力布１２と、少なくとも第１、第２面ファスナと一部重なりながら第１面ファスナ１４から第２面ファスナまで伸びる第３弾力布１３からなる。【選択図】図１
0003165111.tif 000002
【実用新案登録請求の範囲】
【請求項１】
骨盤ベルト（１０）のほぼ全長を占める第１弾力布（１１）と、
前記第１弾力布（１１）の左端表面に固定された第１面ファスナ（１４）と、
前記第１弾力布（１１）の右端裏面に固定された第２面ファスナ（１５）と、
前記第１弾力布（１１）の前方で、少なくとも前記第１、第２面ファスナ（１４，１５）と一部重なりながら前記第１面ファスナ（１４）から前記第２面ファスナ（１５）まで伸びる第２弾力布（１２）と、
前記第２弾力布（１２）の前方で、少なくとも前記第１、第２面ファスナ（１４，１５）と一部重なりながら第１面ファスナ（１４）から前記第２面ファスナ（１５）まで伸びる第３弾力布（１３）
からなることを特徴とする骨盤ベルト（１０）。
【請求項２】
前記第１〜３弾力布（１１〜１３）に多数の通気孔を設けた請求項１記載の骨盤ベルト。
【請求項３】
前記第１、第２面ファスナ（１４，１５）に多数の通気孔（１６）を設けた請求項１又は２記載の骨盤ベルト。
【考案の詳細な説明】
【技術分野】
【０００１】
本考案は、骨盤矯正ベルトに関する。
【背景技術】
【０００２】
骨盤矯正ベルトは、骨盤を引き締めたい人、産後の骨盤の広がりが気になる人、ヒップアップを行いたい人などが腰回りに着用する幅広のベルトであって、従来多数の考案が提案されている。たとえば、特開２００２−９５６８６、特開平１０−１５５８２５号、特開平８−１９５６０号、特開昭５２−１３７１８５号、実用新案登録第３０１０１５７号、実公昭６３−３７９３８号、実公昭６１−４３４７４号、等である。
【考案の概要】
【考案が解決しようとする課題】
【０００３】
上記従来技術は、何れも上下段２枚のベルトを組み合わせてなるものである。しかし、縫製して製品化する上でベルトの幅にも限度があり、２枚ではきめ細かく腰部及び臀部を引き締めるのに十分ではなかった。そこで本考案ではベルトを３枚使用すると共に、ムレ対策を施した骨盤ベルトを提供することを目的とする。
【課題を解決するための手段】
【０００４】
本考案の骨盤ベルトは、骨盤ベルト（１０）のほぼ全長を占める第１弾力布（１１）と、前記第１弾力布（１１）の左端表面に固定された第１面ファスナ（１４）と、前記第１弾力布（１１）の右端裏面に固定された第２面ファスナ（１５）と、前記第１弾力布（１１）の前方で、少なくとも前記第１、第２面ファスナ（１４，１５）と一部重なりながら前記第１面ファスナ（１４）から前記第２面ファスナ（１５）まで伸びる第２弾力布（１２）と、前記第２弾力布（１２）の前方で、少なくとも前記第１、第２面ファスナ（１４，１５）と一部重なりながら第１面ファスナ（１４）から前記第２面ファスナ（１５）まで伸びる第３弾力布（１３）からなることを特徴とする。
【０００５】
好ましくは、前記第１〜３弾力布及び第１、第２面ファスナに多数の通気孔を設ける（請求項２，３）。
【考案の効果】
【０００６】
本考案の骨盤ベルトは、弾力布を３枚使用するので、きめ細かく腰部及び臀部を引き締めることができる。
【０００７】
また、請求項２，３の骨盤ベルトによれば、第１〜３弾力布及び／又は第１、第２面ファスナに多数の通気孔を設けているので、ムレを防ぐことができる。
【図面の簡単な説明】
【０００８】
【図１】本考案の１実施例の骨盤ベルトを着用している状態の斜視図である。
【図２】この骨盤ベルトの（ａ）正面図、（ｂ）平面図、（ｃ）背面図である。
【図３】図２の３−３断面図である。
【図４】図２の４−４断面図である。
【考案を実施するための形態】
【０００９】
以下、添付の図面に基づき、本考案の１実施形態を説明する。
【００１０】
図１に示すように、この骨盤ベルト１０は腰部から臀部にかけて装着する。この図から分かるように、ベルトは３枚のベルト状弾力布１１，１２，１３からなる。
【００１１】
さらに詳しく見ると、図２に示すように、不使用時には３枚のベルト状の弾力布１１，１２，１３は重ねられていて、１枚のように見える。この状態（負荷のかからない不使用時）で、骨盤ベルトは８０×８ｃｍである。
【００１２】
図２（ａ）の状態で、左端及び右端には第１面ファスナ部１４，第２面ファスナ１５が固着されていて、相互に付着可能である。（ここで「左端」「右端」とは、図２（ａ）の状態で表現したものであり、当然のことながら相対的なものである。）第１面ファスナ１４は全体の骨盤ベルト１０の約１／４もの長さがあり、第２面ファスナ１５を第１面ファスナ１４のどの位置に付着させるかにより、腰回りのサイズの大小に対応可能となっている。
【００１３】
３枚の弾力布１１，１２，１３のうち、裏側（人体装着側）のベルト状第１弾力布１１は骨盤ベルト１０のほぼ全長にわたって伸びている。ベルト状第２弾力布１２は、第１面ファスナ１４の右端と一部重なり、第２面ファスナ１５の左端とも一部重なっている。ベルト状第３弾力布１３は、第１面ファスナ１４の右端と一部重なり、第２面ファスナ１５のほぼ全部と重なっている。ベルト状第２弾力布１２とベルト状第３弾力布１３は、２枚のベルトを使用してもよいし、１枚のベルトを折り返すことにより、２枚状態として使用してもよい。
【００１４】
３枚の弾力布１１，１２，１３が上記のように設定されているので、第１面ファスナ１４を３−３線で断面にすると、図３に示すように、ベルト状第１弾力布１１と第１面ファスナ１４の２重状態である。しかし、４−４線で断面にすると、図４に示すように、第１〜３弾力布１１，１２，１３と第１面ファスナ１４の４重状態である。
【００１５】
上記において、弾力布としては、ゴム弾性を有し、伸縮性を有しておればどのような素材でもよいが、通気性を確保するため、通気孔（図示せず）を多数有するものが好ましい。面ファスナ部分には弾力性はない。
【００１６】
面ファスナとしては、例えば次のようなものを使用することができる。
（１）ポリエステル繊維、ポリアミド繊維、ポリオレフィン系繊維、塩化ビニル系繊維などから選ばれた合成繊維を編織して得た編織製基材の一面に鈎状、きのこ状、ループ状の係合素子群を有する織製または編製面ファスナ、
（２）  ポリエステル、ポリアミド、ポリオレフィン、塩化ビニル系重合体、ポリウレタンなどの熱可塑性樹脂、あるいは熱硬化性樹脂を成形して得たシート状基材の一面に鈎状、きのこ状、膨頭状、角状、棒状などの係合素子群を有する成形面ファスナ。
【００１７】
この面ファスナ１４にも通気性を確保するため、通気孔１６を設けることが好ましい。
【００１８】
この骨盤ベルト１０を装着するには、図１に示すように、まず、骨盤ベルト１０を腰部から臀部にかけて巻き付け、第２面ファスナ１５を第１面ファスナ１４に付着させて固定する。この段階で手を離しても固定状態は維持されている。
【００１９】
続いて、第１〜３弾力布１１，１２，１３に手を当て、図１の矢印で示す上下方向に第１〜３弾力布を広げて完成である。
【００２０】
腰部及び臀部は、強力な弾力布で３重に巻かれているので、締め付けは確実である。
【符号の説明】
【００２１】
１０   骨盤ベルト
１１   弾力布
１２   弾力布
１３   弾力布
１４   第１面ファスナ
１５   第２面ファスナ
１６   通気孔
【先行技術文献】
【特許文献】
【００２２】
【特許文献１】特開２００２−９５６８６
【特許文献２】特開平１０−１５５８２５号
【特許文献３】特開平８−１９５６０号
【特許文献４】特開昭５２−１３７１８５号
【特許文献５】実用新案登録第３０１０１５７号
【特許文献６】実公昭６３−３７９３８号
【特許文献７】実公昭６１−４３４７４号
【図１】
0003165111.tif 000003
【図２】
0003165111.tif 000004
【図３】
0003165111.tif 000005
【図４】
0003165111.tif 000006